(57)【要約】      （修正有）【課題】機械式地震感知器に防爆仕様の近接スイッチを、センサーとして配備した防爆用地震感知器を提供する。【解決手段】地震を感知して作動する感知体４を検知するために、落下する検知体４’の落下空間に臨んで防爆された近接スイッチＳをセンサー２として配備したことを特徴とする防爆用地震感知器Ａ、および筐体１内に収納したことを特徴とする防爆用地震感知器である。【選択図】図１
0003221109.tif 000002
【実用新案登録請求の範囲】
【請求項１】
地震を感知して作動する検知体を検知するために、防爆された近接スイッチをセンサーとして配備したことを特徴とする防爆用地震感知器。
【請求項２】
筐体内に収納したことを特徴とする請求項１記載の防爆用地震感知器。
【考案の詳細な説明】
【技術分野】
【０００１】  この考案は防爆用地震感知器に関するものである。
【背景技術】
【０００２】  従来の機械式地震感知器における振動検知機構は、重錘体の感知体（検知体）が磁性材の支持材に吸着され、この検知体が地震動を検知したときに落下する。検知体の下部には接点をオン、オフするマイクロスイッチがあり、マイクロスイッチのアーム部が検知体の下部近くまで伸びており、検知体が落下した時、マイクロスイッチの凸部のスイッチを押し下げることにより、その接点がオンまたはオフして、信号（警報）を発するものである。このような構成は磁力と重錘の吸着関係を利用した構成であり、電気（電源）を必要としない特徴がある［以下機械式地震感知器と云う］。一方、近接スイッチは検出対象に接触することなく検出が可能であり、応答性が早いので有用である。しかし通常の近接スイッチは、電源を必要とするため、例えば石油プラントなどの防爆を必要とするところ［以下、防爆エリアと云う］では使用できない。
【考案の概要】
【考案が解決しようとする課題】
【０００３】  機械式地震感知器に防爆仕様の近接スイッチを、センサーとして配備した防爆用地震感知器を得ることを目的とする。
【課題を解決するための手段】
【０００４】  この考案は、地震を検知して作動する機械式地震感知器の検知体の作動を検知するために、防爆された近接スイッチをセンサーとして配備したことを特徴とする防爆用地震感知器で、それらを一つの筐体内に収納、配備し、防爆エリア内で使用できる防爆用地震感知器とする。
【考案の効果】
【０００５】  この考案は、地震を検知して作動する機械式地震感知器の検知体の作動を検知するために、防爆された近接スイッチを配備したことを特徴とする防爆用地震感知器の構成となり、それらを一つの筐体内に収納、配備し、防爆エリア内で使用できる防爆用地震感知器となる。そして上記の検知体が落下してからの応答性が早いので、地震の感知に有用である。つまりこの考案の近接スイッチは、防爆仕様であり、防爆エリア内でも使用可能で、さらに長距離ケーブルを使用することにより、それを結線する部分を防爆エリアの外側の非防爆エリアに設けることができる。
【図面の簡単な説明】
【０００６】
【図１】この考案の防爆用地震感知器とその作動の説明図である。
【図２】この考案の防爆用地震感知器とその作動の他の説明図である。
【図３】この考案の防爆用地震感知器とその作動の他の説明図である。
【考案を実施するための形態】
【０００７】
【実施例１】
【０００８】  図１は、この考案の防爆用地震感知器の実施例であって、筐体（１）内に収納されている機械式地震感知器（Ａ）の機構に、防爆された近接スイッチ（Ｓ）をセンサー（２）として下方に配置した例で、磁性体（３）に吸着された地震感知用の検知体（４）［重錘体からなる感知体］があり、この検知体（４）は支持アーム（５）によって支持されており、支持アーム（５）は回動するように回動軸（６）で筐体（１）に取り付けられている。検知体（４）が地震を感知して落下して、検知体（４’）の位置に達すると、近接スイッチ（Ｓ）のセンサー（２）はその動きを直ちに捉え信号（警報）を発する。（７）は長距離ケ−ブルである。
【実施例２】
【０００９】  図２は、前記支持アーム（５）の副片（５’）に鉄片などの検出片（８）を取り付けておき、センサー（２）を筐体（１）の側方に配置した例で、検知体（４）が地震を感知して落下し検知体（４’）の位置に達し、同時に支持アーム（５）の副片（５’）が副片（５”）の位置に達し、検出片（８）が検出片（８’）に至ると、センサー（２）は直ちにそれを捉える。【００１０】  図３（ａ）は、近接スイッチ（Ｓ）をセンサー（２）として筐体（１’）の下方に配置した他の例で、磁性体（３）に吸着された検知体（４）は支持アーム（５）によって支持されており、支持アーム（５）の一方は回動するように、回動軸（６）によって筐体（１’）に取り付けられている。検知体（４）が地震を感知して落下すると、支持アーム（５’）は回動し、支持アーム（５’）の位置に押し下げ、支持アーム（５’）が鍵型ストッパー（９）を押し、そのとき、シリンダー棒（１１）に取り付けられたバネ（１０）の延びる力で、シリンダー棒（１１）を押し下げ、シリンダー棒（１１）先端が下方に飛び出す。シリンダー棒（１１）先端には、近接スイッチ（Ｓ）に反応する検出片（８’）が取り付けられており、センサー（２）はその動きを直ちに捉える。（１２）はリセット用レバーである。図３（ｂ）は筐体（１’）のカバー（１’ａ）を示す。【００１１】  センサー（２）として使用する近接スイッチ（Ｓ）は、前記検知体（４’）が近づいたとき、例えば近接スイッチ（Ｓ）の先端導体の表面に発生する渦電流のバランスが崩れ、出力して信号（警報）を発する。さらに近接スイッチ（Ｓ）の内部に設けた永久磁石が、検知体（４’）に近づくと反発し、その作用で内部の接点をコンタクトする構成もある。そしてこれらの近接スイッチ（Ｓ）は電源が不要である。これらの近接スイッチ（Ｓ）は検出対象に接触することなく検出ができ、検知体（４）が落下してからの応答性が早いので地震の感知に即応し有利である。センサー（２）は、いずれも防爆仕様のものを用い、長距離ケ−ブル（７）を使用することにより、それを電源に結線する部分を防爆エリアの外側の、非防爆エリアに設けることができる。近接スイッチ（Ｓ）のセンサー（２）は、筐体（１）などの空所にいっしょに収納する。
【産業上の利用可能性】
【００１２】  この考案の防爆用地震感知器は、石油プラント、化学プラント、燃料備蓄場所、可燃ガス使用場所などの防爆エリアの地震による振動の監視、前記同所におけるエレベータの地震監視装置、可燃性ガス（水素、アセチレン、酸素など）を製造する設備、可燃性の液体を製造する設備、同保管、備蓄、使用するエリアなどに設置して適切である。この考案の防爆用地震感知器は、地震を感知して作動する機械式地震感知器の検知体の作動を検知するところの防爆した近接スイッチをセンサーとして配備した防爆用地震感知器となり、それらを一つの筐体内に収納、配備することにより、搬送、設置、取扱いに便利であり、広く一様に防爆エリア内で使用できる防爆用地震感知器となる。
【符号の説明】
【００１３】    Ａ  機械式地震感知器
Ｓ  近接スイッチ
１  筐体
２  センサ−
３  磁性体
４  検知体
５  支持アーム
６  回動軸
７  長距離ケ−ブル
８  検出片
９  鍵型ストッパー
１０  バネ
１１  シリンダー棒
１２  リセット用レバー
【図１】
0003221109.tif 000003
【図２】
0003221109.tif 000004
【図３】
0003221109.tif 000005
【手続補正書】
【提出日】平成31年2月7日(2019.2.7)
【手続補正１】
【補正対象書類名】実用新案登録請求の範囲
【補正対象項目名】全文
【補正方法】変更
【補正の内容】
【実用新案登録請求の範囲】
【請求項１】
地震を感知して作動する検知体を検知するために、落下する検知体の落下空間に臨んで防爆された近接スイッチをセンサーとして配備したことを特徴とする防爆用地震感知器。
【請求項２】
地震を感知して作動する検知体を支持する磁性体、検知体の支持アーム、回動軸からなる検知機構を設けた方形の筐体内の検知体の落下空間内に、センサーとなる防爆された近接スイッチを収納したことを特徴とする請求項１記載の防爆用地震感知器。